(57)【要約】【課題】複数収納された棒状の商品が取り出しやすく、使用形態に応じて開封形態を変更できる包装箱と包装体を提供する。【解決手段】外箱１００と、外箱に挿入された内箱２００とからなり、外箱は、底部と前面板１と後面板２と左面板３と右面板４とを有し、上部は、内箱が引き出せるように開放可能になっていて、内箱は、前壁板２１と後壁板と天井板２３と床面板２４とを有し、左右の一方に開放部が設けられ、他方には側壁２５が設けられていて、内箱の天井板を下にして置いたときに、外箱より内箱を引き出して、開放部の一部が外箱より出た状態で、係止するための係止機構２６が１つまたは複数、設けられている。【選択図】図２
2016222253.tif 000002
【特許請求の範囲】
【請求項１】
外箱と、前記外箱に挿入された内箱とからなり、前記外箱は、底部と前面板と後面板と左面板と右面板とを有し、上部は、前記内箱が引き出せるように開放可能になっていて、前記内箱は、前壁板と後壁板と天井板と床面板とを有し、左右の一方に開放部が設けられ、他方には側壁が設けられていて、
前記内箱の天井板を下にして置いたときに、前記外箱より前記内箱を引き出して、前記開放部の一部が前記外箱より出た状態で、係止するための係止機構が１つまたは複数、設けられていることを特徴とする包装箱。
【請求項２】
前記係止機構が、前記内箱の前壁板、後壁板、側壁の少なくともいずれかに設けられた、下方に凸状の切れ目からなり、凸状の前記切れ目に外箱の前記上部の端縁が差し込まれ、係止されるように設けられていることを特徴とする請求項１に記載の包装箱。
【請求項３】
前記天井板には、前記開放部側が延びた延設部が設けられていることを特徴とする請求項１または２に記載の包装箱。
【請求項４】
前記外箱の上面には、前記内箱が引き出せないように封止する封止機構が切除可能に設けられていることを特徴とする請求項１から３のいずれか１項に記載の包装箱。
【請求項５】
前記封止機構は、前記前面板と後面板の上端に、それぞれ帯状板が連設され、いずれか一方の帯状板の先端に差し込み片が連設され、他方の帯状板に差し込み用切れ目が設けられ、前記差し込み片を前記差し込み用切れ目に差し込むことにより、封止するように設けられていることを特徴とする請求項４に記載の包装箱。
【請求項６】
請求項１から５のいずれか１項に記載の包装箱に、棒状の複数の内容物が、その長手方向が前記包装箱の左右方向になるように収納されていることを特徴とする包装体。
【発明の詳細な説明】
【技術分野】
【０００１】
本発明は、包装箱と包装体に関するものである。
【背景技術】
【０００２】
複数の商品を収納した集積箱で、輸送だけではなく、集積箱を開封した状態でそのまま店舗などに陳列することが行われている。このような時、カットテープを取り付け、あるいは、断続した切れ目を線状に並べた易切断線を２本並列して並べた易切断帯を設けておいて、これを用いて、胴部を一周するように切断して上部を開放して、商品を陳列することがよく行われている。
【０００３】
この場合、切断する箇所が一箇所であると、決まった向きにしか集積箱を開けることができないので、陳列する場所によっては、違う向きに向けて置きたいことがある。この為、特許文献１の「縦横開封可能の陳列箱」には、陳列箱ごと展示する際に、展示スペースに合わせて、横置きとしたり、縦置きにしたり、自由に向きを変えられるようにした陳列箱が記載されている。
【０００４】
この陳列箱は、胴部を廻るように形成した横方向のジッパと、この横方向のジッパに交差する状態で、底部および胴部に跨って縦ジッパを形成し、交差部には各ジッパの切れ線の延長上に位置して２本の平行なミシン目を互い違いに刻設している。
【０００５】
この陳列箱では、スティック包装された商品のような、棒状の商品が複数収納されていて、商品が横置きになるように展示した際に転がって落ちてしまうことが考えられ、このような棒状の商品にはあまり適していない。この為、スティック包装された商品のような、棒状の商品が複数収納された状態で、横でも縦でも展示可能な包装箱が求められている。
【０００６】
公知文献を以下に示す。
【先行技術文献】
【特許文献】
【０００７】
【特許文献１】特開平１０−８６９３６号公報
【発明の概要】
【発明が解決しようとする課題】
【０００８】
本発明は上記のような事情に鑑みてなされたもので、複数収納された棒状の商品が取り出しやすく、使用形態に応じて開封形態を変更できる包装箱と包装体を提供することを課題とする。
【課題を解決するための手段】
【０００９】
本発明は係る課題に鑑みなされたものであり、請求項１の発明は、外箱と、前記外箱に挿入された内箱とからなり、前記外箱は、底部と前面板と後面板と左面板と右面板とを有し、上部は、前記内箱が引き出せるように開放可能になっていて、
前記内箱は、前壁板と後壁板と天井板と床面板とを有し、左右の一方に開放部が設けられ、他方には側壁が設けられていて、
前記内箱の天井板を下にして置いたときに、前記外箱より前記内箱を引き出して、前記開放部の一部が前記外箱より出た状態で、係止するための係止機構が１つまたは複数、設けられていることを特徴とする包装箱である。
【００１０】
本発明の包装箱は、以上のような構成であって、棒状の複数の商品を、その長手方向が左右方向になるように収納して梱包すると、外箱を取り去って、内箱をその側壁が下になるようにして陳列すると、棒状の商品が立った状態で陳列され、上方になった開放部より商品を取り出すことができる。
【００１１】
また、外箱より内箱を引き出して、内箱の天井板を下にして置いて陳列するときには、係止機構により、開放部の一部が外箱より出た状態で係止することができるので、開放部の一部から商品を横方向に抜き出し、取り出すことができる。
【００１２】
本発明の請求項２の発明は、前記係止機構が、前記内箱の前壁板、後壁板、側壁の少なくともいずれかに設けられた、下方に凸状の切れ目からなり、凸状の前記切れ目に外箱の前記上部の端縁が差し込まれ、係止されるように設けられていることを特徴とする請求項１に記載の包装箱である。
【００１３】
本発明は、係止機構が、内箱の前壁板、後壁板、側壁の少なくともいずれに設けられた、下方に凸状の切れ目からなっているので、係止機構を設けるのに、余分な部材などを必要とせず、簡単で安価に設けることができる。
【００１４】
本発明の請求項３の発明は、前記天井板には、前記開放部側が延びた延設部が設けられていることを特徴とする請求項１または２に記載の包装箱である。
【００１５】
本発明は、天井板が、前記開放部側が延びていて、延設部が設けられているので、延設部を利用して表示を行うと、意匠性が高くアイキャッチ効果がある。また、外箱より内箱を引き出して、内箱の天井板を下にして置いて陳列したとき、商品を横方向に抜き出しても、うっかり下に落としてしまう恐れがない。
【００１６】
本発明の請求項４の発明は、前記外箱の上面には、前記内箱が引き出せないように封止する封止機構が切除可能に設けられていることを特徴とする請求項１から３のいずれか１項に記載の包装箱である。
【００１７】
本発明は、外箱の上面に、内箱が引き出せないように封止する封止機構が切除可能に設けられているので、流通上などで内箱が外箱よりずれて、収納された内容物が露出したり、飛び出したりすることがない。また、切除できるので、陳列するときに邪魔にならない。
【００１８】
本発明の請求項５の発明は、前記封止機構は、前記前面板と後面板の上端に、それぞれ帯状板が連設され、いずれか一方の帯状板の先端に差し込み片が連設され、他方の帯状板に差し込み用切れ目が設けられ、前記差し込み片を前記差し込み用切れ目に差し込むことにより、封止するように設けられていることを特徴とする請求項１から４のいずれか１項に記載の包装箱である。
【００１９】
本発明は、封止機構が、前面板と後面板のそれぞれの上端に設けられた、後帯状板と差し込み片と前帯状板と差し込み用切れ目からなっているので、簡単な機構でしっかり封止することができる。
【００２０】
本発明の請求項６の発明は、請求項１から５のいずれか１項に記載の包装箱に、棒状の複数の内容物が、その長手方向が前記包装箱の左右方向になるように収納されていることを特徴とする包装体である。
【００２１】
本発明は、棒状の複数の内容物が、その長手方向が包装箱の左右方向になるように収納されているので、この包装体を陳列するのに、外箱を取り去って、内箱をその側壁が下になるようにして陳列すると、棒状の商品が立った状態で陳列され、上方になった開放部より商品を取り出すことができる。
【００２２】
また、外箱より内箱を引き出して、内箱の天面板を下にして置いて陳列するときには、係止機構により、開放部の一部が外箱より出た状態で係止することができるので、開放部の一部から商品を横方向に抜き出し、取り出すことができる。
【発明の効果】
【００２３】
本発明の包装箱と包装体は、棒状の商品が取り出しやすく、使用形態に応じて開封形態を変更することができる。
【図面の簡単な説明】
【００２４】
【図１】本発明の包装箱の一例を模式的に斜視で示した説明図である。
【図２】本発明の包装箱の一例を模式的に斜視で示した説明図で、（ａ）外箱、（ｂ）内箱である。
【図３】本発明の包装箱の一例で、外箱を取り去り、内箱を側壁が下にして陳列した状態を模式的に斜視で示した説明図である。
【図４】本発明の包装箱の一例で、外箱より内箱を引き出して係止し、内箱の天井板を下にして陳列した状態を模式的に斜視で示した説明図である。
【図５】本発明の包装箱の一例の外箱のブランクを模式的に示した説明図である。
【図６】本発明の包装箱の一例の外箱を組み立てる方法を説明する模式図である。
【図７】本発明の包装箱の一例の外箱を模式的に示した説明図で、（ａ）背面図、（ｂ）右側面図、（ｃ）底面図である。
【図８】本発明の包装箱の一例の内箱のブランクを模式的に示した説明図である。
【図９】本発明の包装箱の一例の内箱を組み立てる方法を説明する模式図である。
【図１０】本発明の包装箱の一例の内箱を模式的に示した説明図で、（ａ）平面図、（ｂ）正面図、（ｃ）右側面図である。
【図１１】本発明の包装箱の一例を開封した状態を模式的に斜視で示した説明図である。
【図１２】本発明の包装箱の一例を開封した別の状態を模式的に斜視で示した説明図である。
【発明を実施するための形態】
【００２５】
以下、本発明を実施するための形態について説明する。
図１は、本発明の包装箱の一例を模式的に斜視で示した説明図、図２、本発明の包装箱の一例を模式的に斜視で示した説明図で、（ａ）外箱、（ｂ）内箱、図３、本発明の包装箱の一例で、外箱を取り去り、内箱を側壁が下にして陳列した状態を模式的に斜視で示した説明図、図４、本発明の包装箱の一例で、外箱より内箱を引き出して係止し、内箱の天井板を下にして陳列した状態を模式的に斜視で示した説明図である。
【００２６】
本例の包装箱１０００は、図１や、図２の（ａ）外箱、（ｂ）内箱のように、外箱１００と、外箱１００に挿入された内箱２００とからなっている。
【００２７】
外箱１００は、底部と、底部より立ち上がる、対向する前面板１と後面板２と、対向する左面板３と右面板４とからなり、上部は、後面板２の上端部に後帯状板５と差し込み片６が連設され、前面板１の上端に、前帯状板７と差し込み用切れ目８が連設され、差し込み片６を差し込み用切れ目８に差し込むことにより封止する封止機構が設けられている。
【００２８】
また、後面板２には、後帯状板５の根元を取り巻くように、破線状の切れ目からなる後
面易切断線９が設けられ、前面板１には、前帯状板７の根元を取り巻くように、破線状の切れ目からなる前面易切断線１０が設けられ、これら切断線９、１０を切断して、封止機構が切除できるようになっていて、上部を完全に開放することができる。
【００２９】
内箱２００は、水平方向に対向する前壁板２１と後壁板２２と、垂直方向に対向する天井板２３と床面板２４とを有し、左に開放部が設けられ、右側には側壁２５が設けられていて、本例では、側壁２５は、前壁板２１と後壁板２２と天井板２３と床面板２４とにそれぞれ連設されたフラップが組み合わされて形成されている。
【００３０】
また、天井板２３には開放部側が延びた延設部２３ａが設けられている。この延設部２３ａを利用して表示を行うと、意匠性が高くアイキャッチ効果がある。更に、図３のように外箱１００を取り去って内箱２００ごと陳列するときにも、意匠性が高くアイキャッチ効果がある。
【００３１】
また更に、図４のように、外箱１００より内箱２００を引き出して、内箱２００の天井板２３を下にして置いて陳列したときに、商品を横方向に抜き出しても、うっかり商品を下に落としてしまう恐れがない。
【００３２】
内箱２００の前壁板２１と後壁板２２には、下方に凸状の切れ目と切れ目の下部に接続する貫通孔からなる係止機構２６、２６が、図２（ｂ）のように設けられている。図４のように、外箱１００より内箱２００を引き出して、開放部の一部が外箱１００より出た状態で、内箱２００の天井板２３を下にして置いたときに、係止機構２６の切れ目に、外箱１００の上部の端縁が差し込まれ、係止されるようになっている。
【００３３】
このようにすると、収納されている棒状の複数の商品が、その長手方向を左右方向になるように収納しておくと、この開放部から商品の長手方向の一端が除いているので、引き出して取り出すことができる。
【００３４】
本例では、係止機構２６を、前壁板２１と後壁板２２の対向する位置にそれぞれ設けたが、これに限らず、係止機構２６をいずれか一方にのみ設けてもよい。また、側壁２５に設けてもよい。更には、垂直方向に複数の係止機構を設けて、内箱２００の開放部の露出する程度を変えられるようにすることもできる。
【００３５】
また、前壁板２１と後壁板２２には、左から右方向に凹部が切り取られ形成されていて、棒状の複数の商品を、その長手方向が左右方向になるように収納しておくと、外箱１００を取り去って、内箱２００をその側壁２５が下になるようにして陳列したときに、立った状態の棒状の商品が取り出しやすくなっている。
【００３６】
次に、まず本例の包装箱１０００の外箱１００の製造方法について説明する。
図５は、本発明の包装箱の一例のブランクを模式的に示した説明図、図６は、本発明の包装箱の一例を組み立てる方法を説明する模式図、図７は、本発明の包装箱の一例を模式的に示した説明図で、（ａ）背面図、（ｂ）右側面図、（ｃ）底面図である。
【００３７】
本例の包装箱１０００の外箱１００は、厚紙などのシート状材料で製造される。このシート状材料を打ち抜き、折罫を設けて、図５の平面図に示すブランク１０１（図は外面側から見た図、折罫を一点鎖線、あるいは、二点鎖線で表示）を作成し、これを必要に応じて糊貼りなどで接着して組み立て、外箱１００を製造する。
【００３８】
外箱１００の外箱ブランク１０１は、上下の中央に左から、貼着板１２、前面板１、右面板４、後面板２、左面板３がそれぞれ折罫を介して設けられている。
【００３９】
後面板２の上端には、帯状の後帯状板５が連設され、更に、後帯状板５に差し込み片６が連設させている。また、正面板１の上端には、帯状の前帯状板７が連設され、更に、前帯状板７に差し込み用切れ目８が設けられていて、差し込み片６を差し込み用切れ目８に差し込むことにより、外箱１００から内箱２００が引き出せないように封止する封止機構になっている。
【００４０】
また、前面板１には、前帯状板７の根元を取り巻くように、破線状の切れ目からなる前面易切断線１０が設けられ、更に、後面板２には、後帯状板５の根元を取り巻くように、破線状の切れ目からなる後面易切断線９が設けられている。
【００４１】
この後面易切断線９と前面易切断線１０を切断することによって、後帯状板５、差し込み片６、及び、前帯状板７を除去できるようになっている。このため、後帯状板５や前帯状板７が陳列時に邪魔になることがない。
【００４２】
底部１１は、フラップにより形成され、ＪＩＳ−Ｚ−１５０７「段ボール箱の形式」コード番号０７１２の形状である。
【００４３】
すなわち、前面板１の下端に前側フラップ１１ａが設けられ、更に前側フラップ１１ａには斜め方向の折罫を介して貼着折曲板１１ｂが連設され、また同様に、後面板２の下端に後側フラップ１１ｃが設けられ、更に後側フラップ１１ｃには斜め方向の折罫を介して貼着折曲板１１ｄが連設されている。
【００４４】
他の折罫は押罫で良いが、この２つの折罫は、折り曲げやすいようにリード罫にすることが好ましい。そして、左面板３の下端には、左フラップ１１ｅが連設され、右面板４の下端には、右フラップ１１ｆが連設されている。
【００４５】
この外箱ブランク１０１から外箱１００を製函するには、まず、前面板１と右面板４の間の折罫を折って、更に、後面板２と左面板３の間の折罫を折る。そして、重なった貼着板１２の外面と、左面板３の内面を貼着し、図６のように成形する。
【００４６】
次に、前面板１、右面板４、後面板２、左面板３を角筒状に起こして、左フラップ１１ｅと右フラップ１１ｆを内側に折り返し、前側フラップ１１ａの貼着折曲板１１ｂを、斜め方向の折罫で外側に折り返し、後側フラップ１１ｃの貼着折曲板１１ｄを、斜め方向の折罫で外側に折り返し、前側フラップ１１ａと後側フラップ１１ｃを内側に折り返し、貼着折曲板１１ｂと貼着折曲板１１ｄの裏側に接着剤を付けて、再度胴部を角筒状から平坦になるように戻して押圧し、左フラップ１１ｅに貼着折曲板１１ｄを接着させ、右フラップ１１ｆに貼着折曲板１１ｂを接着させる。
【００４７】
この底部の接着は、胴部の貼着板１２の接着時に同時に行うこともできる。また、これらの順番を変えてもよい。このように底部を形成して胴部を角筒上に起こすと、底部は自動的に広がって形成される。これにより、図７の（ａ）背面図、（ｂ）右側面図、（ｃ）底面図のように、あるいは、図２（ａ）の斜視図のように、底部が形成された外箱１００が製函される。
【００４８】
次に、本例の包装箱１０００の内箱２００の製造方法について説明する。
図８は、本発明の包装箱の一例の内箱のブランクを模式的に示した説明図、図９は、本発明の包装箱の一例の内箱を組み立てる方法を説明する模式図、図１０は、本発明の包装箱の一例の内箱を模式的に示した説明図で、（ａ）平面図、（ｂ）正面図、（ｃ）右側面図である。
【００４９】
本例の包装箱１０００の内箱２００は、厚紙などのシート状材料で製造される。このシート状材料を打ち抜き、折罫を設けて、図８の平面図に示す内箱ブランク２０１（図は外面側から見た図、折罫を一点鎖線、あるいは、二点鎖線で表示）を作成し、これを必要に応じて糊貼りなどで接着して組み立て、内箱２００を製造する。
【００５０】
図８に示すように、内箱２００の内箱ブランク２０１は、図の左側の上から順に、床面板２４、後壁板２２、天井板２３、前壁板２１、貼着片２７が設けられている。天井板２３には左方向に延びた延設部２３ａが設けられている。
【００５１】
また、前壁板２１と後壁板２２には、それぞれ、係止機構２６、２６が設けられている。係止機構２６は、天井板２３の反対方向に凸になった凸形状の切れ目２６ａと、切れ目２６ａの凸形状部に接続する貫通孔２６ｂから形成されている。貫通孔２６ｂは切れ目で形成された凸形状を外側に倒すときに指を掛けやすくするために設けてある。
【００５２】
側壁２５は、フラップにより形成され、ＪＩＳ−Ｚ−１５０７「段ボール箱の形式」コード番号０７１２の底の形状である。
【００５３】
すなわち、前壁板２１の右端に前面側フラップ２５ａが設けられ、更に前面側フラップ２５ａには斜め方向の折罫を介して貼着折曲片２５ｂが連設され、また同様に、後壁板２２の右端に後面側フラップ２５ｃが設けられ、更に後面側フラップ２５ｃには斜め方向の折罫を介して貼着折曲片２５ｄが連設されている。
【００５４】
他の折罫は押罫で良いが、この２つの折罫は、折り曲げやすいようにリード罫にすることが好ましい。そして、床面板２４の右端には、床側フラップ２５ｅが連設され、天井板２３の右端には、天側フラップ２５ｆが連設されている。
【００５５】
この内箱ブランク２０１から内箱２００を製函するには、まず、前壁板２１と天井板２３の間の折罫を折って、更に、後壁板２２と床面板２４の間の折罫を折る。そして、重なった貼着片２７の外面と、床面板２４の内面を貼着し、図９のように成形する。
【００５６】
次に、床面板２４、後壁板２２、天井板２３、前壁板２１を角筒状に起こして、床側フラップ２５ｅと天側フラップ２５ｆを内側に折り返し、前面側フラップ２５ａの貼着折曲片２５ｂを、斜め方向の折罫で外側に折り返し、後面側フラップ２５ｃの貼着折曲片２５ｄを、斜め方向の折罫で外側に折り返し、貼着折曲片２５ｂと貼着折曲片２５ｄの裏側に接着剤を付けて、前面側フラップ２５ａと後面側フラップ２５ｃを内側に折り返す。
【００５７】
そして、再度胴部を角筒状から平坦になるように戻して押圧し、床側フラップ２５ｅに貼着折曲片２５ｄを接着させ、天側フラップ２５ｆに貼着折曲片２５ｂを接着させる。
【００５８】
この側壁２５の接着は、胴部の貼着片２７の接着時に同時に行うこともできる。また、これらの順番を変えてもよい。このように側壁２５を形成して角筒上に起こすと、側壁２５は自動的に広がって形成される。これにより、図１０の（ａ）平面図、（ｂ）正面図、（ｃ）右側面図のように、あるいは、図２（ｂ）の斜視図のように、側壁２５が形成された内箱２００が製函される。
【００５９】
以上のように製造された外箱１００と内箱２００により、包装箱１０００が構成される。すなわち、内箱２００床面板２４が、外箱１００の底部１１の内面に当接するように、内箱２００を外箱１００の中に挿入し、包装箱１０００を構成することができる。
【００６０】
この内箱２００の中に、複数の棒状の商品３００を、その長手方向が図２（ｂ）の左上から右下方向になるように収納する。そして、外箱１００の中に、商品３００を収納した内箱２００を収納する。そして、外箱１００の前帯状部７を内箱２００の天井板２３の上に倒し、次に、前帯状部７をその上に倒しながら、差し込み片６を差し込み用切れ目８に差し込む。これにより、図１のように、内箱が引き出せないように封止される。
【００６１】
図１１は、本発明の包装箱の一例を開封した状態を模式的に斜視で示した説明図、図１２は、本発明の包装箱の一例を開封した別の状態を模式的に斜視で示した説明図である。
【００６２】
このように梱包された包装箱１０００を、店舗などで陳列のために開封される。開封するには、差し込み片６を差し込み用切れ目８から抜き出して開封してもよいが、後面易切断線９と前面易切断線１０を切断して、内箱２００が引き出せないようにしている封止機構を切除することができる。
【００６３】
そして、外箱１００と取り除き、内箱２００を側壁２５が下になるようにして設置すると、図１１のように、収納されている複数の棒状の商品３００の長手方向が上下方向になるようにして陳列することができる。そして、上方になった開放部より、棒状の商品３００を取り出すことができる。
【００６４】
また、後面易切断線９と前面易切断線１０を切断して、後帯状部５や前帯状部７を除去し、内箱２００を外箱１００から、開放部の一部が外に状態まで引き出し、係止機構２６の貫通孔２６ｂより指を入れ、切れ目２６ａの凸形状部を外側に倒して、天井板２３を下にして外箱１００の下になった端部を、外側に倒した凸形状部の内側に入り込むようにして設置する。
【００６５】
このようにすると、図１２のように、係止機構２６により、外箱１００が下に落ちない。このため、内箱２００の開放部の一部が外箱１００より出た状態で係止することができる。そして、外箱１００から露出した開放部の一部から商品を横方向に抜き出し、取り出すことができる。
【００６６】
以上のように、本発明の包装箱は、店舗で陳列する場所に適する使用形態に応じて開封形態を変更でき、中に複数収納したスティック包装された商品のような棒状の商品が取り出しやすい。
【００６７】
また、内箱の天井板に延設部が設けられていると、延設部を利用して表示を行い意匠性が高くなりアイキャッチ効果がえられる。更に、外箱より内箱を引き出して、内箱の天井板を下にして置いて陳列したとき、商品を横方向に抜き出しても、延設部があるとうっかり下に落としてしまう恐れがない。
【符号の説明】
【００６８】
１０００・・・包装箱
１００・・・外箱
１０１・・外箱ブランク
１・・・前面板
２・・・後面板
３・・・左面板
４・・・右面板
５・・・後帯状部
６・・・差し込み片
７・・・前帯状部
８・・・差し込み用切れ目
９・・・後面易切断線
１０・・・前面易切断線
１１・・・底部
１１ａ・・・前側フラップ
１１ｂ・・・貼着折曲板
１１ｃ・・・後側フラップ
１１ｄ・・・貼着折曲板
１１ｅ・・・左フラップ
１１ｆ・・・右フラップ
１２・・・貼着板
２００・・・内箱
２０１・・・内箱ブランク
２１・・・前壁版
２２・・・後壁板
２３・・・天井板
２３ａ・・・延設部
２４・・・床面板
２５・・・側壁
２５ａ・・・前面側フラップ
２５ｂ・・・貼着折曲片
２５ｃ・・・後面側フラップ
２５ｄ・・・貼着折曲片
２５ｅ・・・床側フラップ
２５ｆ・・・天側フラップ
２６、２６・・・係止機構
２６ａ・・・切れ目
２６ｂ・・・貫通孔
２７・・・貼着片
【図１】
2016222253.tif 000003
【図２】
2016222253.tif 000004
【図３】
2016222253.tif 000005
【図４】
2016222253.tif 000006
【図５】
2016222253.tif 000007
【図６】
2016222253.tif 000008
【図７】
2016222253.tif 000009
【図８】
2016222253.tif 000010
【図９】
2016222253.tif 000011
【図１０】
2016222253.tif 000012
【図１１】
2016222253.tif 000013
【図１２】
2016222253.tif 000014